(57)【要約】  本開示により、識別剤含有液状炭化水素を同定するための組成物、方法およびシステムを提供する。このような組成物、方法およびシステムでは、ピロリジノンを含むガスクロマトグラフィー用識別剤が使用される。該方法およびシステムにより、該ガスクロマトグラフィー用識別剤および／または該ピロリジノンの有無が確認され得る。該組成物、方法およびシステムでは任意選択で分光分析用識別剤が使用され得る。【選択図】図１
2019528448.tif 000002
【特許請求の範囲】
【請求項１】
ａ）液状炭化水素のサンプルをガスクロマトグラフィーシステム内に導入し、それにより前記サンプルのガスクロマトグラフィーレポートを得ること；および
ｂ）前記液状炭化水素中のピロリジノンの存在を前記ガスクロマトグラフィーレポートを用いて確認すること
を含む、ピロリジノンを含むガスクロマトグラフィー用識別剤を含有している液状炭化水素を同定する方法。
【請求項２】
前記ガスクロマトグラフィーシステムが窒素リン検出器付きガスクロマトグラフィー（ＧＣ−ＮＰＤ）システムであり、工程ａ）が前記サンプルを前記ＧＣ−ＮＰＤシステム内に導入することである、請求項１に記載の方法。
【請求項３】
前記ＧＣ−ＮＰＤシステムが炎光熱検出器またはアルカリ炎イオン化検出器を含むものである、請求項２に記載の方法。
【請求項４】
工程ａ）で得られる前記ガスクロマトグラフィーレポートが、前記サンプル中の窒素またはリンの量に比例する強度値を含む、請求項２または３に記載の方法。
【請求項５】
前記強度が前記サンプルの諸成分の溶出時間の関数としての時間変数である、請求項４に記載の方法。
【請求項６】
工程ｂ）の確認が、１つ以上の所定の溶出時間での強度値のモニタリングを含む、請求項５に記載の方法。
【請求項７】
前記ガスクロマトグラフィーシステムがガスクロマトグラフィー−質量分析（ＧＣ−ＭＳ）システム、ガスクロマトグラフィー−Ｈａｌｌ型電気伝導度検出器（ＧＣ−ＨＥＣＤ）システム、ガスクロマトグラフィー−水素炎イオン化検出器（ＧＣ−ＦＩＤ）システム、ガスクロマトグラフィー−電子捕獲型検出器（ＧＣ−ＥＣＤ）システム、ガスクロマトグラフィー−光イオン化検出器（ＧＣ−ＰＩＤ）システムまたはその組合せであり、工程ａ）が、前記ＧＣ−ＭＳシステム、前記ＧＣ−ＨＥＣＤシステム、前記ＧＣ−ＦＩＤシステム、前記ＧＣ−ＥＣＤシステム、前記ＧＣ−ＰＩＤシステムまたはその組合せへの前記サンプルの導入である、請求項１に記載の方法。
【請求項８】
前記ガスクロマトグラフィーシステムが溶融シリカカラム、ポリエチレングリコールカラム、シアノプロピルカラム、トリフルオロプロピルカラム、置換ポリシロキサンカラムまたはその組合せを含むものであり、工程ａ）の導入が、前記溶融シリカカラム、前記ポリエチレングリコールカラム、前記シアノプロピルカラム、前記トリフルオロプロピルカラム、前記置換ポリシロキサンカラムまたはその組合せへの前記サンプルの導入を含む、請求項１〜７のいずれか１項に記載の方法。
【請求項９】
工程ａ）の導入が、窒素、ヘリウムおよびその組合せからなる群より選択されるキャリアガスとの前記サンプルの導入を含む、請求項１〜８のいずれか１項に記載の方法。
【請求項１０】
工程ｂ）の確認が、前記ガスクロマトグラフィーレポートと参照レポートとの比較を含む、請求項１〜９のいずれか１項に記載の方法。
【請求項１１】
前記ピロリジノンが前記液状炭化水素中に０．１ｐｐｍ〜５００ｐｐｍの量で存在している、請求項１〜１０のいずれか１項に記載の方法。
【請求項１２】
前記液状炭化水素が分光分析用識別剤をさらに含んでおり：
ｃ）前記液状炭化水素の第２のサンプルを分光学的に分析し、それにより前記第２のサンプルの分光分析レポートを得ること；および
ｄ）前記液状炭化水素中の前記分光分析用識別剤の存在を前記分光分析レポートを用いて確認すること
をさらに含む、請求項１〜１１のいずれか１項に記載の方法。
【請求項１３】
工程ｃ）の分光学的分析が、蛍光分光法、ＵＶ−Ｖｉｓ分光法、ラマン分光法、近赤外分光法またはその組合せの実施を含む、請求項１２に記載の方法。
【請求項１４】
工程ｄ）の確認が、前記分光分析レポートと参照スペクトルとの比較を含む、請求項１２または１３に記載の方法。
【請求項１５】
前記分光分析用識別剤が前記液状炭化水素中に０．１ｐｐｍ〜５００ｐｐｍの量で存在している、請求項１２〜１４のいずれか１項に記載の方法。
【請求項１６】
ａ）ピロリジノンを含むガスクロマトグラフィー用識別剤を、市場に流通している液状炭化水素のサブセットに添加すること；
ｂ）前記市場に流通している前記液状炭化水素のうちの１種類のサンプルを選出すること；
ｃ）前記市場に流通している前記液状炭化水素のうちの１種類の前記サンプルの少なくとも一部分をガスクロマトグラフィーシステム内に導入し、それにより前記サンプルのガスクロマトグラフィーレポートを得ること；および
ｄ）前記サンプル中の前記ピロリジノンの有無を前記ガスクロマトグラフィーレポートを用いて確認し、それにより前記サンプルが液状炭化水素の前記サブセットの範囲内であるのか前記サブセットの範囲外であるのかを確認すること
を含む、市場に流通している液状炭化水素のサブセットに識別剤を添加し、前記識別剤添加の存在を検出する方法。
【請求項１７】
前記ガスクロマトグラフィーシステムが窒素リン検出器付きガスクロマトグラフィー（ＧＣ−ＮＰＤ）システムであり、工程ｃ）が前記ＧＣ−ＮＰＤシステム内への前記サンプルの導入である、請求項１６に記載の方法。
【請求項１８】
前記ＧＣ−ＮＰＤシステムが炎光熱検出器またはアルカリ炎イオン化検出器を含むものである、請求項１７に記載の方法。
【請求項１９】
工程ｃ）で得られる前記ガスクロマトグラフィーレポートが、前記サンプル中の窒素またはリンの量に比例する強度値を含む、請求項１７または１８に記載の方法。
【請求項２０】
前記強度が前記サンプルの諸成分の溶出時間の関数としての時間変数である、請求項１９に記載の方法。
【請求項２１】
工程ｄ）の確認が１つ以上の所定の溶出時間での強度値のモニタリングを含む、請求項２０に記載の方法。
【請求項２２】
前記ガスクロマトグラフィーシステムがガスクロマトグラフィー−質量分析（ＧＣ−ＭＳ）システム、ガスクロマトグラフィー−Ｈａｌｌ型電気伝導度検出器（ＧＣ−ＨＥＣＤ）システム、ガスクロマトグラフィー−水素炎イオン化検出器（ＧＣ−ＦＩＤ）システム、ガスクロマトグラフィー−電子捕獲型検出器（ＧＣ−ＥＣＤ）システム、ガスクロマトグラフィー−光イオン化検出器（ＧＣ−ＰＩＤ）システムまたはその組合せであり、工程ｃ）が前記ＧＣ−ＭＳシステム、前記ＧＣ−ＨＥＣＤシステム、前記ＧＣ−ＦＩＤシステム、前記ＧＣ−ＥＣＤシステム、前記ＧＣ−ＰＩＤシステムまたはその組合せへの前記サンプルの導入である、請求項１６〜２１のいずれか１項に記載の方法。
【請求項２３】
前記ガスクロマトグラフィーシステムが、溶融シリカカラム  ポリエチレングリコールカラム、シアノプロピルカラム、トリフルオロプロピルカラム、置換ポリシロキサンカラムまたはその組合せを含むものであり、工程ｃ）の導入が、前記溶融シリカカラム、前記ポリエチレングリコールカラム、前記シアノプロピルカラム、前記トリフルオロプロピルカラム、前記置換ポリシロキサンカラムまたはその組合せへの前記サンプルの導入を含む、請求項１６〜２２のいずれか１項に記載の方法。
【請求項２４】
工程ｃ）の導入が、窒素、ヘリウムおよびその組合せからなる群より選択されるキャリアガスとの前記サンプルの導入を含む、請求項１６〜２３のいずれか１項に記載の方法。
【請求項２５】
工程ｄ）の確認が、前記ガスクロマトグラフィーレポートと参照レポートとの比較を含む、請求項１６〜２４のいずれか１項に記載の方法。
【請求項２６】
工程ａ）の添加が、液状炭化水素の前記サブセット中に０．１ｐｐｍ〜５００ｐｐｍの量のピロリジノンがもたらされるのに必要な量の前記ガスクロマトグラフィー用識別剤の添加を含む、請求項１６〜２５のいずれか１項に記載の方法。
【請求項２７】
ｅ）分光分析用識別剤を、前記市場に流通している前記液状炭化水素の前記サブセットに添加すること；
ｆ）前記市場に流通している前記液状炭化水素のうちの１種類の前記サンプルの少なくとも第２の一部分を分光学的に分析し、それにより前記サンプルの分光分析レポートを得ること；および
ｇ）前記サンプル中の前記分光分析用識別剤の有無を前記分光分析レポートを用いて確認し、それにより前記サンプルが液状炭化水素の前記サブセットの範囲内であるのか前記サブセットの範囲外であるのかを確認すること
をさらに含む、請求項１６〜２６のいずれか１項に記載の方法。
【請求項２８】
工程ｆ）の分光学的分析が蛍光分光法、ＵＶ−Ｖｉｓ分光法、ラマン分光法、近赤外分光法またはその組合せの実施を含む、請求項２７に記載の方法。
【請求項２９】
工程ｇ）の確認が、前記分光分析レポートと参照スペクトルとの比較を含む、請求項２７または２８に記載の方法。
【請求項３０】
工程ｅ）の添加が、前記液状炭化水素の前記サブセットへの０．１ｐｐｍ〜５００ｐｐｍの量での前記分光分析用識別剤の添加を含む、請求項２７〜２９のいずれか１項に記載の方法。
【請求項３１】
ロンダリングされた識別剤含有液状炭化水素を同定する方法であって、ロンダリングされていない識別剤含有液状炭化水素はガスクロマトグラフィー用識別剤と分光分析用識別剤を含有しており、前記ガスクロマトグラフィー用識別剤がピロリジノンを含むものであり：
ａ）ロンダリングされたことが疑われる液状炭化水素サンプルの第１の一部分をガスクロマトグラフィーシステム内に導入し、それにより前記液状炭化水素サンプルのガスクロマトグラフィーレポートを得ること；
ｂ）前記液状炭化水素サンプルの第２の一部分を分光学的に分析し、それにより前記液状炭化水素サンプルの分光分析レポートを得ること；
ｃ）前記ガスクロマトグラフィー用識別剤の有無を前記ガスクロマトグラフィーレポートを用いて確認し、
前記分光分析用識別剤の有無を前記分光分析レポートを用いて確認すること
を含み；
ｄ）工程ｃ）の確認に基づいて：
前記ガスクロマトグラフィー用識別剤および前記分光分析用識別剤が存在していると確認されたならば、前記液状炭化水素サンプルが識別剤を含有しており、ロンダリングされていないことを示し；
前記ガスクロマトグラフィー用識別剤が存在していると確認され、前記分光分析用識別剤が存在しないと確認されたならば、前記液状炭化水素サンプルが識別剤を含有しており、ロンダリングされていることを示し；
前記ガスクロマトグラフィー用識別剤および前記分光分析用識別剤が存在しないと確認されたならば、前記液状炭化水素が識別剤無含有であることを示す、
方法。
【請求項３２】
前記ガスクロマトグラフィーシステムが窒素リン検出器付きガスクロマトグラフィー（ＧＣ−ＮＰＤ）システムであり、工程ａ）が、前記ＧＣ−ＮＰＤシステム内への前記第１の一部分の導入である、請求項３１に記載の方法。
【請求項３３】
前記ＧＣ−ＮＰＤシステムが炎光熱検出器またはアルカリ炎イオン化検出器を含むものである、請求項３２に記載の方法。
【請求項３４】
工程ａ）で得られる前記ガスクロマトグラフィーレポートが、前記サンプル中の窒素またはリンの量に比例する強度値を含む、請求項３２または３３に記載の方法。
【請求項３５】
前記強度が前記サンプルの諸成分の溶出時間の関数としての時間変数である、請求項３４に記載の方法。
【請求項３６】
工程ｃ）の有無またはガスクロマトグラフィー用識別剤部分の確認が１つ以上の所定の溶出時間での強度値のモニタリングを含む、請求項３５に記載の方法。
【請求項３７】
前記ガスクロマトグラフィーシステムがガスクロマトグラフィー−質量分析（ＧＣ−ＭＳ）システム、ガスクロマトグラフィー−Ｈａｌｌ型電気伝導度検出器（ＧＣ−ＨＥＣＤ）システム、ガスクロマトグラフィー−水素炎イオン化検出器（ＧＣ−ＦＩＤ）システム、ガスクロマトグラフィー−電子捕獲型検出器（ＧＣ−ＥＣＤ）システム、ガスクロマトグラフィー−光イオン化検出器（ＧＣ−ＰＩＤ）システムまたはその組合せであり、工程ａ）が、前記ＧＣ−ＭＳシステム、前記ＧＣ−ＨＥＣＤシステム、前記ＧＣ−ＦＩＤシステム、前記ＧＣ−ＥＣＤシステム、前記ＧＣ−ＰＩＤシステムまたはその組合せへの前記第１の一部分の導入である、請求項３１〜３６のいずれか１項に記載の方法。
【請求項３８】
前記ガスクロマトグラフィーシステムが溶融シリカカラムを含むものであり、工程ａ）の導入が前記溶融シリカカラム内への前記サンプルの導入を含む、請求項３１〜３７のいずれか１項に記載の方法。
【請求項３９】
工程ａ）の導入が、窒素、ヘリウムおよびその組合せからなる群より選択されるキャリアガスとの前記サンプルの導入を含む、請求項３１〜３８のいずれか１項に記載の方法。
【請求項４０】
工程ｃ）の前記ガスクロマトグラフィー用識別剤部分の有無の確認が、前記ガスクロマトグラフィーレポートと参照レポートとの比較を含む、請求項３１〜３９のいずれか１項に記載の方法。
【請求項４１】
工程ｂ）の分光学的分析が蛍光分光法、ＵＶ−Ｖｉｓ分光法、ラマン分光法、近赤外分光法またはその組合せの実施を含む、請求項３１〜４０のいずれか１項に記載の方法。
【請求項４２】
工程ｃ）の前記分光分析用識別剤部分の有無の確認が、前記分光分析レポートと参照スペクトルとの比較を含む、請求項３１〜４１のいずれか１項に記載の方法。
【請求項４３】
前記分光分析用識別剤が：
【化１】
2019528448.tif 000011
であり、
式中、Ａｒ1およびＡｒ2は各々、独立して、置換もしくは非置換のフェニレン基または置換もしくは非置換のナフチレン基を表し；Ｒ1は、１〜２２個の炭素原子を有する直鎖または分枝鎖のアルキル基を表し；Ｒ2は、水素原子または式Ｃ（Ｏ）Ｒ4の基を表し、ここで、Ｒ4は水素原子または１〜２２個の炭素原子を有する直鎖もしくは分枝鎖のアルキル基であり；Ｒ3は、水素原子、１〜１２個の炭素原子を有する直鎖もしくは分枝鎖のアルキル基、１〜１２個の炭素原子を有する直鎖もしくは分枝鎖のアルコキシ基、ヒドロキシル基、置換もしくは非置換のフェニル基または置換もしくは非置換のナフチル基を表し；Ｚは、水素原子またはＡｒ2もしくはＲ3と結合してラクトン環を形成する原子の基を表す、請求項１２〜１５および２７〜４２のいずれか１項に記載の方法。
【請求項４４】
前記分光分析用識別剤が赤色色素または黄色色素である、請求項１２〜１５および２７〜４２のいずれか１項に記載の方法。
【請求項４５】
前記分光分析用識別剤がＳｏｌｖｅｎｔ  Ｒｅｄ  １６４またはＳｏｌｖｅｎｔ  Ｙｅｌｌｏｗ  １２４である、請求項４４に記載の方法。
【請求項４６】
前記分光分析用識別剤がフタレインである、請求項１２〜１５および２７〜４２のいずれか１項に記載の方法。
【請求項４７】
前記分光分析用識別剤がフタレインジブチレートである、請求項１２〜１５および２７〜４２のいずれか１項に記載の方法。
【請求項４８】
前記分光分析用識別剤がフタレインエステルである、請求項１２〜１５および２７〜４２のいずれか１項に記載の方法。
【請求項４９】
前記分光分析用識別剤が、フルオロセインジブチレート、クレゾールフタレイン、ｏ−クレゾールフタレインジブチレートおよびチモールフタレインからなる群より選択される、請求項１２〜１５および２７〜４２のいずれか１項に記載の方法。
【請求項５０】
前記分光分析用識別剤が、クレゾールフタレインジブチレートエステル、クレゾールフタレインモノブチレートエステル、クレゾールフタレインジイソプロピレートエステル、クレゾールフタレインジ−ｎ−プロピレートエステル、クレゾールフタレインジヘキサノエートエステル、クレゾールフタレインジペンタノエートエステルおよびクレゾールフタレインジラウレートエステルからなる群より選択される、請求項１２〜１５および２７〜４２のいずれか１項に記載の方法。
【請求項５１】
前記分光分析用識別剤が、ナフトールフタレインジブチレートエステル、チモールフタレインジブチレートエステルおよびチモールフタレインジプロパノエートエステルからなる群より選択される、請求項１２〜１５および２７〜４２のいずれか１項に記載の方法。
【請求項５２】
前記分光分析用識別剤が、ｓｅｃ−ブチルフェノールフタレインジブチレートエステルおよびジ−ｓｅｃ−ブチルフェノールフタレインジブチレートエステルからなる群より選択される、請求項１２〜１５および２７〜４２のいずれか１項に記載の方法。
【請求項５３】
前記ピロリジノンが１−アルキル−２−ピロリジノンまたは１−アルケニル−２−ピロリジノンである、請求項１〜５２のいずれか１項に記載の方法。
【請求項５４】
前記ピロリジノンが前記１−アルキル−２−ピロリジノンである、請求項５３に記載の方法。
【請求項５５】
前記１−アルキル−２−ピロリジノンが、１〜４０個の炭素原子を有する非環状アルキル基または４〜４０個の原子を有するシクロアルキル基を含むものである、請求項５４に記載の方法。
【請求項５６】
前記非環状アルキル基が３〜２４個の炭素原子を有するものであり、前記シクロアルキル基が４〜２４個の炭素原子を有するものである、請求項５５に記載の方法。
【請求項５７】
前記ピロリジノンが、１−メチル−２−ピロリジノン、１−エチル−２−ピロリジノン、１−シクロヘキシル−２−ピロリジノン、１−オクチル−２−ピロリジノン、１−ドデシル−２−ピロリジノンおよびその組合せからなる群より選択される、請求項５４に記載の方法。
【請求項５８】
前記ピロリジノンが１−メチル−２−ピロリジノンである、請求項５７に記載の方法。
【請求項５９】
前記ピロリジノンが１−エチル−２−ピロリジノンである、請求項５７に記載の方法。
【請求項６０】
前記ピロリジノンが１−シクロヘキシル−２−ピロリジノンである、請求項５７に記載の方法。
【請求項６１】
前記ピロリジノンが１−オクチル−２−ピロリジノンである、請求項５７に記載の方法。
【請求項６２】
前記ピロリジノンが１−ドデシル−２−ピロリジノンである、請求項５７に記載の方法。
【請求項６３】
前記ピロリジノンが前記１−アルケニル−２−ピロリジノンである、請求項５３に記載の方法。
【請求項６４】
前記１−アルケニル−２−ピロリジノンが、２個の炭素原子〜４０個の炭素原子を有するアルケニル基を含むものである、請求項６３に記載の方法。
【請求項６５】
前記アルケニル基が２個の炭素原子〜２４個の炭素原子を有するものである、請求項６４に記載の方法。
【請求項６６】
前記ピロリジノンが１−ビニル−２−ピロリジノンである、請求項６３に記載の方法。
【請求項６７】
ピロリジノンを含むガスクロマトグラフィー用識別剤；および
溶媒
を含む識別剤組成物であって、
前記ピロリジノンが１−アルキル−２−ピロリジノンまたは１−アルケニル−２−ピロリジノンであり、前記１−アルキル−２−ピロリジノンが、３〜７個の炭素原子、９〜１１個の炭素原子もしくは１３〜２４個の炭素原子を有する非環状アルキル基または４〜２４個の炭素原子を有するシクロアルキル基を含むものであり、前記１−アルケニル−２−ピロリジノンが、２〜２４個の炭素原子を有するアルケニル基を含むものである
識別剤組成物。
【請求項６８】
前記ガスクロマトグラフィー用識別剤が重量基準で１％〜９９％の量で存在しており、前記溶媒が重量基準で１％〜９９％の量で存在している、請求項６７に記載の識別剤組成物。
【請求項６９】
前記ガスクロマトグラフィー用識別剤が重量基準で２５％〜７５％の量で存在しており、前記溶媒が重量基準で２５％〜７５％の量で存在している、請求項６７に記載の識別剤組成物。
【請求項７０】
前記ガスクロマトグラフィー用識別剤が重量基準で４０％〜６０％の量で存在しており、前記溶媒が重量基準で４０％〜６０％の量で存在している、請求項６７に記載の識別剤組成物。
【請求項７１】
前記識別剤組成物が本質的に前記ガスクロマトグラフィー用識別剤と前記溶媒からなるものである、請求項６７に記載の識別剤組成物。
【請求項７２】
前記ガスクロマトグラフィー用識別剤が重量基準で１％〜９９％の量で存在しており、前記溶媒が重量基準で１％〜９９％の量で存在している、請求項７１に記載の識別剤組成物。
【請求項７３】
前記ガスクロマトグラフィー用識別剤が重量基準で２５％〜７５％の量で存在しており、前記溶媒が重量基準で２５％〜７５％の量で存在している、請求項７１に記載の識別剤組成物。
【請求項７４】
前記ガスクロマトグラフィー用識別剤が重量基準で４０％〜６０％の量で存在しており、前記溶媒が重量基準で４０％〜６０％の量で存在している、請求項７１に記載の識別剤組成物。
【請求項７５】
前記識別剤組成物が前記ガスクロマトグラフィー用識別剤と前記溶媒からなるものである、請求項６７に記載の識別剤組成物。
【請求項７６】
前記ガスクロマトグラフィー用識別剤が重量基準で１％〜９９％の量で存在しており、前記溶媒が重量基準で１％〜９９％の量で存在している、請求項７５に記載の識別剤組成物。
【請求項７７】
前記ガスクロマトグラフィー用識別剤が重量基準で２５％〜７５％の量で存在しており、前記溶媒が重量基準で２５％〜７５％の量で存在している、請求項７５に記載の識別剤組成物。
【請求項７８】
前記ガスクロマトグラフィー用識別剤が重量基準で４０％〜６０％の量で存在しており、前記溶媒が重量基準で４０％〜６０％の量で存在している、請求項７５に記載の識別剤組成物。
【請求項７９】
分光分析用識別剤をさらに含む、請求項６７に記載の識別剤組成物。
【請求項８０】
前記ガスクロマトグラフィー用識別剤が重量基準で１０％〜８５％の量で存在しており、前記分光分析用識別剤が重量基準で５％〜８０％の量で存在しており、前記溶媒が重量基準で１０％〜８５％の量で存在している、請求項７９に記載の識別剤組成物。
【請求項８１】
前記ガスクロマトグラフィー用識別剤が重量基準で２０％〜７０％の量で存在しており、前記分光分析用識別剤が重量基準で１０％〜５０％の量で存在しており、前記溶媒が重量基準で２０％〜７０％の量で存在している、請求項７９に記載の識別剤組成物。
【請求項８２】
前記ガスクロマトグラフィー用識別剤が重量基準で２５％〜６０％の量で存在しており、前記分光分析用識別剤が重量基準で１５％〜２５％の量で存在しており、前記溶媒が重量基準で２５％〜６０％の量で存在している、請求項７９に記載の識別剤組成物。
【請求項８３】
前記識別剤組成物が本質的に前記ガスクロマトグラフィー用識別剤、前記分光分析用識別剤および前記溶媒からなるものである、請求項７９に記載の識別剤組成物。
【請求項８４】
前記ガスクロマトグラフィー用識別剤が重量基準で１０％〜８５％の量で存在しており、前記分光分析用識別剤が重量基準で５％〜８０％の量で存在しており、前記溶媒が重量基準で１０％〜８５％の量で存在している、請求項８０に記載の識別剤組成物。
【請求項８５】
前記ガスクロマトグラフィー用識別剤が重量基準で２０％〜７０％の量で存在しており、前記分光分析用識別剤が重量基準で１０％〜５０％の量で存在しており、前記溶媒が重量基準で２０％〜７０％の量で存在している、請求項８０に記載の識別剤組成物。
【請求項８６】
前記ガスクロマトグラフィー用識別剤が重量基準で２５％〜６０％の量で存在しており、前記分光分析用識別剤が重量基準で１５％〜２５％の量で存在しており、前記溶媒が重量基準で２５％〜６０％の量で存在している、請求項８０に記載の識別剤組成物。
【請求項８７】
前記識別剤組成物が前記ガスクロマトグラフィー用識別剤、前記分光分析用識別剤および前記溶媒からなるものである、請求項７９に記載の識別剤組成物。
【請求項８８】
前記ガスクロマトグラフィー用識別剤が重量基準で１０％〜８５％の量で存在しており、前記分光分析用識別剤が重量基準で５％〜８０％の量で存在しており、前記溶媒が重量基準で１０％〜８５％の量で存在している、請求項８７に記載の識別剤組成物。
【請求項８９】
前記ガスクロマトグラフィー用識別剤が重量基準で２０％〜７０％の量で存在しており、前記分光分析用識別剤が重量基準で１０％〜５０％の量で存在しており、前記溶媒が重量基準で２０％〜７０％の量で存在している、請求項８７に記載の識別剤組成物。
【請求項９０】
前記ガスクロマトグラフィー用識別剤が重量基準で２５％〜６０％の量で存在しており、前記分光分析用識別剤が重量基準で１５％〜２５％の量で存在しており、前記溶媒が重量基準で２５％〜６０％の量で存在している、請求項８７に記載の識別剤組成物。
【請求項９１】
前記溶媒が、石油ナフサ、アルコール、グリコールエーテル、ジメチルホルムアミド、ジメチルスルホキシド、キシレン、トルエン、アセトン、酢酸エチル、石油製品およびその組合せからなる群より選択される、請求項６７〜９０のいずれか１項に記載の識別剤組成物。
【請求項９２】
前記溶媒が石油ナフサと燃料添加剤の混合物である、請求項６７〜９０のいずれか１項に記載の識別剤組成物。
【請求項９３】
ピロリジノンを含むガスクロマトグラフィー用識別剤；および
分光分析用識別剤
を含む識別剤組成物であって、
前記ピロリジノンが１−アルキル−２−ピロリジノンまたは１−アルケニル−２−ピロリジノンであり、前記１−アルキル−２−ピロリジノンが、３〜７個の炭素原子、９〜１１個の炭素原子もしくは１３〜２４個の炭素原子を有する非環状アルキル基または４〜２４個の炭素原子を有するシクロアルキル基を含むものであり、前記１−アルケニル−２−ピロリジノンが、２〜２４個の炭素原子を有するアルケニル基を含むものである
識別剤組成物。
【請求項９４】
前記ガスクロマトグラフィー用識別剤が重量基準で１％〜９９％の量で存在しており、前記分光分析用識別剤が重量基準で１％〜９９％の量で存在している、請求項９３に記載の識別剤組成物。
【請求項９５】
前記ガスクロマトグラフィー用識別剤が重量基準で２５％〜７５％の量で存在しており、前記分光分析用識別剤が重量基準で２５％〜７５％の量で存在している、請求項９３に記載の識別剤組成物。
【請求項９６】
前記ガスクロマトグラフィー用識別剤が重量基準で４０％〜６０％の量で存在しており、前記分光分析用識別剤が重量基準で４０％〜６０％の量で存在している、請求項９３に記載の識別剤組成物。
【請求項９７】
前記識別剤組成物が本質的に前記ガスクロマトグラフィー用識別剤と前記分光分析用識別剤からなるものである、請求項９３に記載の識別剤組成物。
【請求項９８】
前記ガスクロマトグラフィー用識別剤が重量基準で１％〜９９％の量で存在しており、前記分光分析用識別剤が重量基準で１％〜９９％の量で存在している、請求項９７に記載の識別剤組成物。
【請求項９９】
前記ガスクロマトグラフィー用識別剤が重量基準で２５％〜７５％の量で存在しており、前記分光分析用識別剤が重量基準で２５％〜７５％の量で存在している、請求項９７に記載の識別剤組成物。
【請求項１００】
前記ガスクロマトグラフィー用識別剤が重量基準で４０％〜６０％の量で存在しており、前記分光分析用識別剤が重量基準で４０％〜６０％の量で存在している、請求項９７に記載の識別剤組成物。
【請求項１０１】
前記識別剤組成物が前記ガスクロマトグラフィー用識別剤と前記分光分析用識別剤からなるものである、請求項９３に記載の識別剤組成物。
【請求項１０２】
前記ガスクロマトグラフィー用識別剤が重量基準で１％〜９９％の量で存在しており、前記分光分析用識別剤が重量基準で１％〜９９％の量で存在している、請求項１０１に記載の識別剤組成物。
【請求項１０３】
前記ガスクロマトグラフィー用識別剤が重量基準で２５％〜７５％の量で存在しており、前記分光分析用識別剤が重量基準で２５％〜７５％の量で存在している、請求項１０１に記載の識別剤組成物。
【請求項１０４】
前記ガスクロマトグラフィー用識別剤が重量基準で４０％〜６０％の量で存在しており、前記分光分析用識別剤が重量基準で４０％〜６０％の量で存在している、請求項１０１に記載の識別剤組成物。
【請求項１０５】
前記識別剤組成物が非水性である、請求項６７〜１０４のいずれか１項に記載の識別剤組成物。
【請求項１０６】
前記識別剤組成物を液状炭化水素にピロリジノンが５００ｐｐｍの量で添加することにより、ガスクロマトグラフィーシステムに導入したとき、識別剤無含有液状炭化水素での参照ガスクロマトグラフィーシグナルと区別可能なガスクロマトグラフィーシグナルを生じる識別剤含有液状炭化水素がもたらされる、請求項６７〜１０５のいずれか１項に記載の識別剤組成物。
【請求項１０７】
前記識別剤組成物を液状炭化水素にピロリジノンが５０ｐｐｍの量で添加することにより、ガスクロマトグラフィーシステムに導入したとき、識別剤無含有液状炭化水素での参照ガスクロマトグラフィーシグナルと区別可能なガスクロマトグラフィーシグナルを生じる識別剤含有液状炭化水素がもたらされる、請求項６７〜１０６のいずれか１項に記載の識別剤組成物。
【請求項１０８】
前記識別剤組成物を液状炭化水素にピロリジノンが５ｐｐｍの量で添加することにより、ガスクロマトグラフィーシステムに導入したとき、識別剤無含有液状炭化水素での参照ガスクロマトグラフィーシグナルと区別可能なガスクロマトグラフィーシグナルを生じる識別剤含有液状炭化水素がもたらされる、請求項６７〜１０７のいずれか１項に記載の識別剤組成物。
【請求項１０９】
前記ガスクロマトグラフィーシステムが窒素リン検出器付きガスクロマトグラフィーシステムであり、前記ガスクロマトグラフィーシグナルが窒素リン検出器付きガスクロマトグラフィーシグナルである、請求項１０６〜１０８のいずれか１項に記載の識別剤組成物。
【請求項１１０】
前記ガスクロマトグラフィー用識別剤が本質的に前記ピロリジノンからなるものである、請求項６７〜１０９のいずれか１項に記載の識別剤組成物。
【請求項１１１】
前記ガスクロマトグラフィー用識別剤が前記ピロリジノンからなるものである、請求項６７〜１１０のいずれか１項に記載の識別剤組成物。
【請求項１１２】
前記ピロリジノンが１−アルキル−２−ピロリジノンである、請求項６７〜請求項１１１のいずれか１項に記載の識別剤組成物。
【請求項１１３】
前記１−アルキル−２−ピロリジノンが、３〜７個の炭素原子を有する非環状アルキル基を含むものである、請求項１１２に記載の識別剤組成物。
【請求項１１４】
前記１−アルキル−２−ピロリジノンが、９〜１１個の炭素原子を有する非環状アルキル基を含むものである、請求項１１２に記載の識別剤組成物。
【請求項１１５】
前記１−アルキル−２−ピロリジノンが、１３〜２４個の炭素原子を有する非環状アルキル基を含むものである、請求項１１２に記載の識別剤組成物。
【請求項１１６】
前記ピロリジノンが１−オクタデシル−２−ピロリジノンである、請求項１１５に記載の識別剤組成物。
【請求項１１７】
前記１−アルキル−２−ピロリジノンが、４〜２４個の炭素原子を有するシクロアルキル基を含むものである、請求項１１２に記載の識別剤組成物。
【請求項１１８】
前記１−アルキル−２−ピロリジノンが１−シクロヘキシル−２−ピロリジノンである、請求項１１７に記載の識別剤組成物。
【請求項１１９】
前記ピロリジノンが１−アルケニル−２−ピロリジノンである、請求項６７〜請求項１１１のいずれか１項に記載の識別剤組成物。
【請求項１２０】
前記ピロリジノンが１−ビニル−２−ピロリジノンである、請求項１１９に記載の識別剤組成物。
【請求項１２１】
前記分光分析用識別剤が：
【化２】
2019528448.tif 000012
であり、
式中、Ａｒ1およびＡｒ2は各々、独立して、置換もしくは非置換のフェニレン基または置換もしくは非置換のナフチレン基を表し；Ｒ1は、１〜２２個の炭素原子を有する直鎖または分枝鎖のアルキル基を表し；Ｒ2は、水素原子または式Ｃ（Ｏ）Ｒ4の基を表し、ここで、Ｒ4は水素原子または１〜２２個の炭素原子を有する直鎖もしくは分枝鎖のアルキル基であり；Ｒ3は、水素原子、１〜１２個の炭素原子を有する直鎖もしくは分枝鎖のアルキル基、１〜１２個の炭素原子を有する直鎖もしくは分枝鎖のアルコキシ基、ヒドロキシル基、置換もしくは非置換のフェニル基または置換もしくは非置換のナフチル基を表し；Ｚは、水素原子またはＡｒ2もしくはＲ3と結合してラクトン環を形成する原子の基を表す、請求項７９〜１２０のいずれか１項に記載の識別剤組成物。
【請求項１２２】
前記分光分析用識別剤が赤色色素または黄色色素である、請求項７９〜１２０のいずれか１項に記載の識別剤組成物。
【請求項１２３】
前記分光分析用識別剤がＳｏｌｖｅｎｔ  Ｒｅｄ  １６４またはＳｏｌｖｅｎｔ  Ｙｅｌｌｏｗ  １２４である、請求項１２２に記載の識別剤組成物。
【請求項１２４】
前記分光分析用識別剤がフタレインである、請求項７９〜１２０のいずれか１項に記載の識別剤組成物。
【請求項１２５】
前記分光分析用識別剤がフタレインジブチレートである、請求項７９〜１２０のいずれか１項に記載の識別剤組成物。
【請求項１２６】
前記分光分析用識別剤がフタレインエステルである、請求項７９〜１２０のいずれか１項に記載の識別剤組成物。
【請求項１２７】
前記分光分析用識別剤が、フルオロセインジブチレート、クレゾールフタレイン、ｏ−クレゾールフタレインジブチレートおよびチモールフタレインからなる群より選択される、請求項７９〜１２０のいずれか１項に記載の識別剤組成物。
【請求項１２８】
前記分光分析用識別剤が、クレゾールフタレインジブチレートエステル、クレゾールフタレインモノブチレートエステル、クレゾールフタレインジイソプロピレートエステル、クレゾールフタレインジ−ｎ−プロピレートエステル、クレゾールフタレインジヘキサノエートエステル、クレゾールフタレインジペンタノエートエステルおよびクレゾールフタレインジラウレートエステルからなる群より選択される、請求項７９〜１２０のいずれか１項に記載の識別剤組成物。
【請求項１２９】
前記分光分析用識別剤が、ナフトールフタレインジブチレートエステル、チモールフタレインジブチレートエステルおよびチモールフタレインジプロパノエートエステルからなる群より選択される、請求項７９〜１２０のいずれか１項に記載の識別剤組成物。
【請求項１３０】
前記分光分析用識別剤が、ｓｅｃ−ブチルフェノールフタレインジブチレートエステルおよびジ−ｓｅｃ−ブチルフェノールフタレインジブチレートエステルからなる群より選択される、請求項７９〜１２０のいずれか１項に記載の識別剤組成物。
【請求項１３１】
液状炭化水素；
前記識別剤含有液状炭化水素中の前記ピロリジノンが０．１ｐｐｍ〜５００ｐｐｍの濃度となるのに充分な量の請求項６７〜１３０のいずれか１項に記載の識別剤組成物
を含むものである識別剤含有液状炭化水素。
【請求項１３２】
本質的に：
液状炭化水素；
前記識別剤含有液状炭化水素中の前記ピロリジノンが０．１ｐｐｍ〜５００ｐｐｍの濃度となるのに充分な量の請求項６７〜１３０のいずれか１項に記載の識別剤組成物
からなるものである識別剤含有液状炭化水素。
【請求項１３３】
液状炭化水素；
前記識別剤含有液状炭化水素中の前記ピロリジノンが０．１ｐｐｍ〜５００ｐｐｍの濃度となるのに充分な量の請求項６７〜１３０のいずれか１項に記載の識別剤組成物
からなるものである識別剤含有液状炭化水素。
【請求項１３４】
液状炭化水素；
前記識別剤含有液状炭化水素中の前記分光分析用識別剤が０．１ｐｐｍ〜５００ｐｐｍの濃度となるのに充分な量の請求項７９〜１３０のいずれか１項に記載の識別剤組成物
を含むものである識別剤含有液状炭化水素。
【請求項１３５】
本質的に：
液状炭化水素；
前記識別剤含有液状炭化水素中の前記分光分析用識別剤が０．１ｐｐｍ〜５００ｐｐｍの濃度となるのに充分な量の請求項７９〜１３０のいずれか１項に記載の識別剤組成物
からなるものである識別剤含有液状炭化水素。
【請求項１３６】
液状炭化水素；
前記識別剤含有液状炭化水素中の前記分光分析用識別剤が０．１ｐｐｍ〜５００ｐｐｍの濃度となるのに充分な量の請求項７９〜１３０のいずれか１項に記載の識別剤組成物
からなるものである識別剤含有液状炭化水素。
【請求項１３７】
前記液状炭化水素が、石油由来の液状炭化水素、ガソリン、ガソホール、ディーゼル燃料、石油由来の溶媒、石油由来の潤滑油、油圧作動液、ケロシン、ジェット燃料、暖房油、バンカー燃料およびその組合せからなる群より選択される、請求項１３１〜１３６のいずれか１項に記載の識別剤含有液状炭化水素。
【請求項１３８】
請求項６７〜１３０のいずれか１項に記載の識別剤組成物；および
前記ピロリジノンに関する参照ガスクロマトグラフィーレポート
を備えているキット。
【請求項１３９】
請求項７９〜１３０のいずれか１項に記載の識別剤組成物；および
前記分光分析用識別剤に関する参照分光分析レポート
を備えているキット。
【請求項１４０】
ピロリジノンを含むガスクロマトグラフィー用識別剤を識別剤添加された液状炭化水素を同定するためのシステムであって：
窒素リン検出器付きガスクロマトグラフィー（ＧＣ−ＮＰＤ）システム；および
プロセッサとメモリを有するコンピュータ（前記メモリには、ピロリジノンに関する参照ガスクロマトグラフィーレポートと命令が保存されており、前記命令は、前記プロセッサによって実行されると、前記プロセッサがガスクロマトグラフィーレポートを前記ＧＣ−ＮＰＤシステムから受信し、前記参照ガスクロマトグラフィーレポートとの比較に基づいて前記ガスクロマトグラフィー用識別剤の有無を確認するようにするものである）
を備えているシステム。
【請求項１４１】
前記ＧＣ−ＮＰＤシステムがアルカリ炎イオン化検出器の炎光熱検出器を備えている、請求項１４０に記載のシステム。
【請求項１４２】
前記ＧＣ−ＮＰＤシステムが溶融シリカガスクロマトグラフィーカラムを備えている、請求項１４０または１４１に記載のシステム。
【請求項１４３】
前記ＧＣ−ＮＰＤシステムが、キャリアガスとしての窒素またはヘリウムを送るように構成されたキャリアガス源をさらに備えている、請求項１４０〜１４２のいずれか１項に記載のシステム。
【請求項１４４】
前記液状炭化水素に分光分析用識別剤がさらに識別剤添加されており：分光分析システムをさらに備えている、請求項１４０〜１４３のいずれか１項に記載のシステム。
【請求項１４５】
前記メモリには、前記分光分析用識別剤に関する参照分光分析レポートと命令が保存されており、前記命令は、前記プロセッサによって実行されると、前記プロセッサが分光分析レポートを前記分光分析システムから受信し、前記参照分光分析レポートとの比較に基づいて前記分光分析用識別剤の有無を確認するようにするものである、請求項１４４に記載のシステム。
【請求項１４６】
前記分光分析システムが蛍光分光分析システム、ＵＶ−Ｖｉｓ分光分析システムまたはラマン分光分析システムである、請求項１４４または１４５に記載のシステム。
【発明の詳細な説明】
【技術分野】
【０００１】
［関連出願の相互参照］
本出願は、２０１６年８月２４日に出願された発明の名称が「識別剤組成物およびその作製および使用のための方法」である米国特許仮出願第６２／３７９，００５号の恩典を主張するものであり、この仮出願の全内容は引用により本明細書に組み込まれる。
【０００２】
［連邦政府による資金提供を受けた研究の記載］
該当なし
【０００３】
本発明の分野は流動体用の識別剤組成物である。より詳しくは、本発明は、多層（ｍｕｌｔｉ−ｌａｙｅｒｅｄ）識別剤組成物に関する。
【背景技術】
【０００４】
識別剤（ｍａｒｋｅｒ）は、製品、典型的には石油製品ならびにアルコールおよびいくつかの他の適当な流動体を、その後の検出のためにタグ化するために使用され得る物質である。識別剤は通常、同定対象の流動体に溶解させ、次いで、その後、タグ化された流動体に対して物理的または化学的試験を行なうことにより検出される。例えば、識別剤は、場合によっては政府当局が、具体的な等級の燃料に対して適切な税が支払われたことを保証するために使用する。また、石油会社は、自社の製品を希釈または改変した者を特定するのに役立てるために自社の製品に識別剤を添加する。石油会社は多くの場合、自社ブランドの石油製品が、例えば揮発度およびオクタン価に関する一定の規格を満たすことを確実にするため、ならびに自社の石油製品にデタージェントおよび他の成分を含有する有効な添加剤パッケージを供給するために多額のコストを費やす。消費者は、購入する製品が所望の品質であることを確信するのに製品名および品質表示に頼る。
【０００５】
不心得者が、粗悪品を消費者が高品質ブランドまたは高品質表示の製品に対して出費を惜しまない価格で販売することにより収益を増やすということがあり得る。また、高収益は、単にブランド品を粗悪品で希釈することによっても得られ得る。例えば、ある製品を別のもので代用したり、ブランド品を粗悪品とブレンドしたりする小売業者／卸売業者を取り締まることは、ガソリンの場合、ブレンド品がその各成分の存在を定性的に示すため困難である。ブランド品のカギとなる成分は一般的に、粗悪品での希釈を検出するための定量分析が非常に困難であり、時間がかかり、費用がかかるというような低レベルで存在している。
【０００６】
石油製品、例えば限定されないが、燃料、潤滑油、グリースなどの識別剤系が提案されているが、その有効性を障害している種々の欠点が存在している。現在利用可能な識別剤の多くは、法科学的識別剤（限定されないが、ガスクロマトグラフィー（ＧＣ）による分析によって検出される）および単なる実地試験用識別剤（限定されないが、識別剤の顕色または抽出によって検出される）の両方として使用することができない。既知の識別剤の多くは、これを添加した流動体から容易に除去され、識別剤系の完全性が破壊される。現在利用可能な識別剤の多くは、燃料からロンダリング（ｌａｕｎｄｅｒ）され得ない成分を有する識別剤含有製品を検出するために容易に組み合わせることができない。また、このような識別剤を実験室で分析するのに現在使用されている方法は非常に費用がかかる結果となっている。
【発明の概要】
【発明が解決しようとする課題】
【０００７】
上記のことに鑑みると、識別剤として有用であり、現場だけでなく実験室でも検出することができ得る組成物が提供されることが望ましいだろう。実地試験技術を既存のクロマトグラフィー手法と併用し、一般的な実験室手法、例えば限定されないがＧＣによる分析を用いて、識別剤の存在の実地試験の結果だけでなく実験室レベルでの確認も得られることが望ましいだろう。さらに、識別剤は、上記のことが達成され得るが依然として、不心得者による所望されない抽出または除去（ロンダリング）に対して抵抗できるものであるのがよい。さらに、多種多様な流動体、例えば限定されないが、石油製品、アルコールなどにおいて使用することができ得る識別剤組成物が提供されることが望ましいだろう。石油製品としては、限定されないが、燃料、潤滑油、グリースなどが挙げられ得る。また、作業者の高度な訓練を必要としない経済的な検出方法が提供されることが望ましいだろう。
【課題を解決するための手段】
【０００８】
一態様において、本開示により、ロンダリングされた識別剤含有液状炭化水素を同定する方法であって、ロンダリングされていない識別剤含有液状炭化水素はガスクロマトグラフィー用識別剤と分光分析用識別剤を含有している方法を提供する。該ガスクロマトグラフィー用識別剤はピロリジノンを含むものである。該方法は：ａ）ロンダリングされたことが疑われる液状炭化水素サンプルの第１の一部分をガスクロマトグラフィーシステム内に導入し、それにより該液状炭化水素サンプルのガスクロマトグラフィーレポートを得ること；ｂ）該液状炭化水素サンプルの第２の一部分を分光学的に分析し、それにより該液状炭化水素サンプルの分光分析レポートを得ること；ｃ）該ガスクロマトグラフィー用識別剤の有無を該ガスクロマトグラフィーレポートを用いて確認し、該分光分析用識別剤の有無を該分光分析レポートを用いて確認することを含み；ｄ）工程ｃ）の確認に基づいて：該ガスクロマトグラフィー用識別剤および該分光分析用識別剤が存在していると確認されたならば、該液状炭化水素サンプルが識別剤を含有しており、ロンダリングされていないことを示し；該ガスクロマトグラフィー用識別剤が存在していると確認され、該分光分析用識別剤が存在しないと確認されたならば、該液状炭化水素サンプルが識別剤を含有しており、ロンダリングされていることを示し；該ガスクロマトグラフィー用識別剤および該分光分析用識別剤が存在しないと確認されたならば、該液状炭化水素が識別剤無含有であることを示す。
【０００９】
別の態様では、本開示により、市場に流通している液状炭化水素のサブセットに識別剤を添加し、該識別剤添加の存在を検出する方法を提供する。該方法は：ａ）ピロリジノンを含むガスクロマトグラフィー用識別剤を、市場に流通している液状炭化水素のサブセットに添加すること；ｂ）市場に流通している該液状炭化水素のうちの１種類のサンプルを選出すること；ｃ）市場に流通している該液状炭化水素のうちの１種類の該サンプルの少なくとも一部分をガスクロマトグラフィーシステム内に導入し、それにより該サンプルのガスクロマトグラフィーレポートを得ること；およびｄ）該サンプル中の該ピロリジノンの有無を該ガスクロマトグラフィーレポートを用いて確認し、それにより該サンプルが液状炭化水素の該サブセットの範囲内であるのか該サブセットの範囲外であるのかを確認することを含むものである。
【００１０】
さらなる一態様では、本開示により、ピロリジノンを含むガスクロマトグラフィー用識別剤を含有している液状炭化水素を同定する方法を提供する。該方法は：ａ）液状炭化水素のサンプルをガスクロマトグラフィーシステム内に導入し、それにより該サンプルのガスクロマトグラフィーレポートを得ること；およびｂ）該液状炭化水素中のピロリジノンの存在を該ガスクロマトグラフィーレポートを用いて確認することを含むものである。
【００１１】
また別の態様では、本開示により識別剤組成物を提供する。該識別剤組成物は：ピロリジノンを含むガスクロマトグラフィー用識別剤；および溶媒を含むものである。該ピロリジノンは１−アルキル−２−ピロリジノンまたは１−アルケニル−２−ピロリジノンであり、該１−アルキル−２−ピロリジノンは、３〜７個の炭素原子、９〜１１個の炭素原子もしくは１３〜２４個の炭素原子を有する非環状アルキル基または４〜２４個の炭素原子を有するシクロアルキル基を含むものであり、該１−アルケニル−２−ピロリジノンは、２〜２４個の炭素原子を有するアルケニル基を含むものである。
【００１２】
またさらなる一態様でも、本開示により識別剤組成物を提供する。該識別剤組成物は：ピロリジノンを含むガスクロマトグラフィー用識別剤；および分光分析用識別剤を含むものである。該ピロリジノンは１−アルキル−２−ピロリジノンまたは１−アルケニル−２−ピロリジノンであり、該１−アルキル−２−ピロリジノンは、３〜７個の炭素原子、９〜１１個の炭素原子もしくは１３〜２４個の炭素原子を有する非環状アルキル基または４〜２４個の炭素原子を有するシクロアルキル基を含むものであり、該１−アルケニル−２−ピロリジノンは、２〜２４個の炭素原子を有するアルケニル基を含むものである。
【００１３】
さらなる一態様では、本開示により識別剤含有液状炭化水素を提供する。識別剤含有液状炭化水素は液状炭化水素と本明細書に記載の識別剤組成物を含むものである。該識別剤組成物は、該識別剤含有液状炭化水素中の該ピロリジノンが０．１ｐｐｍ〜５００ｐｐｍの濃度となるのに充分な量で、該識別剤含有液状炭化水素中の該分光分析用識別剤が０．１ｐｐｍ〜５００ｐｐｍの濃度となるのに充分な量で、またはその組合せとなるのに充分な量で存在させる。
【００１４】
また別の態様では、本開示によりキットを提供する。該キットは、本明細書に記載の識別剤組成物および該識別剤組成物のピロリジノンに関する参照ガスクロマトグラフィーレポートを含むものである。
【００１５】
またさらなる一態様では、本開示により、ピロリジノンを含むガスクロマトグラフィー用識別剤を識別剤添加された液状炭化水素を同定するためのシステムを提供する。該システムは窒素リン検出器付きガスクロマトグラフィー（ＧＣ−ＮＰＤ）システム；およびコンピュータを含むものである。該コンピュータはプロセッサとメモリを有する。該メモリには、ピロリジノンに関する参照ガスクロマトグラフィーレポートと命令が保存されており、該命令は、該プロセッサによって実行されると、該プロセッサがガスクロマトグラフィーレポートを該ＧＣ−ＮＰＤシステムから受信し、該参照ガスクロマトグラフィーレポートとの比較に基づいてガスクロマトグラフィー用識別剤の有無を確認するようにするものである。
【００１６】
本発明の前述の、および他の態様および利点は以下の説明から明らかとなろう。本説明では添付の図面について言及しているが、この図面は、本説明の一部を構成しており、一例として本発明の好ましい一実施形態を示している。かかる実施形態は必ずしも本発明の全範囲を表すものではなく、したがって、本発明の範囲の解釈には特許請求の範囲および本明細書を参照されたい。
【００１７】
本発明の理解を補助するため、次に、添付の図面について言及する。本図面において同様の参照文字は同様の要素を示す。本図面は例示にすぎず、本発明を限定するものであると解釈されるべきでない。
【図面の簡単な説明】
【００１８】
【図１】図１は、本開示の種々の態様によるシステムである。
【発明を実施するための形態】
【００１９】
本発明の材料および方法を説明する前に、本開示は、記載の具体的な方法論、プロトコル、材料および試薬に限定されないこと（これらはさまざまであり得るため）を理解されたい。また、本明細書で用いている専門用語は、具体的な実施形態を説明する目的のためにすぎず、添付の特許請求の範囲によってのみ限定される本発明の範囲を限定することを意図するものではないことも理解されたい。
【００２０】
本明細書および添付の特許請求の範囲で用いる場合、単数形“ａ”、“ａｎ”および“ｔｈｅ”は、本文中にそうでないことを明白に記載していない限り、複数の指示対象物を包含している。その上、用語“ａ”（または“ａｎ”）、“ｏｎｅ  ｏｒ  ｍｏｒｅ（１以上）”および“ａｔ  ｌｅａｓｔ  ｏｎｅ（少なくとも１）”は本明細書において互換的に用いている場合があり得る。また、用語“ｃｏｍｐｒｉｓｉｎｇ（〜を含む）”、“ｉｎｃｌｕｄｉｎｇ（〜を含む）”および“ｈａｖｉｎｇ（〜を有する）”も互換的に用いている場合があり得ることに注意されたい。
【００２１】
既に記載のものに加えて多くのさらなる修正例が、本発明思想から逸脱することなく可能であることは当業者に明らかであろう。本開示の解釈において、すべての用語は、文脈と整合する可能な限り最も広い様式で解釈されたい。用語“ｃｏｍｐｒｉｓｉｎｇ”、“ｉｎｃｌｕｄｉｎｇ”または“ｈａｖｉｎｇ”のバリエーション（ｖａｒｉａｔｉｏｎｓ）は、要素、成分または工程について非排他的様式で言及しており、そのため、言及された要素、成分または工程は、明記されていない他の要素、成分または工程と組み合わせてもよいと解釈されたい。ある特定の要素を“ｃｏｍｐｒｉｓｉｎｇ”、“ｉｎｃｌｕｄｉｎｇ”または“ｈａｖｉｎｇ”と示されている実施形態はまた、本文中にそうでないことを明白に記載していない限り、該要素“ｃｏｎｓｉｓｔｉｎｇ  ｅｓｓｅｎｔｉａｌｌｙ  ｏｆ（から本質的になる）”および“ｃｏｎｓｉｓｔｉｎｇ  ｏｆ（からなる）”ことも想定される。本文中にそうでないことを明白に記載していない限り、システムに関して記載した開示内容の態様は方法に適用可能であり、逆も同様であることは認識されよう。
【００２２】
本明細書に開示している数値範囲は両端を含む。例えば、１〜１０という数値範囲は１と１０の値を含む。所与の値について一連の数値範囲を開示している場合、本開示は、該範囲の上限と下限のすべての組合せを含む範囲を明示的に想定している。例えば、１〜１０または２〜９という数値範囲は、１〜９および２〜１０という数値範囲を包含していることを意図している。
【００２３】
特に定義していない限り、本明細書で用いる科学技術用語および略号はすべて、本発明が属する技術分野の当業者に一般的に理解されているものと同じ意味を有する。本明細書に記載のものと同様または同等の任意の方法および材料が、本発明の実施形態の実施または試験において使用され得るが、好ましい方法および材料を以下に説明する。本明細書において具体的に記載した刊行物および特許、例えば限定されないが、米国特許第５，４９８，８０８号、同第５，６７６，７０８号、同第５，６７２，１８２号、同第５，８５８，９３０号、同第６，００２，０５６号、同第６，４８２，６５１号、同第７，１５７，５６３号、同第７，１６３，８２７号および同第７，８２５，１５９号はすべて、引用により、該刊行物に報告されている、本発明との関連で使用されるかもしれない化学薬品、機器、統計分析および方法論の説明および開示などのあらゆる目的のために組み込まれる。本明細書において挙げた参考文献はすべて、当該技術分野の水準を示すものと解釈されたい。本明細書におけるいずれのものも、先願発明という理由で、かかる開示より本発明が時間的に先行していないという是認と解釈されるべきでない。
【００２４】
本明細書で用いる場合、「アルキル基」は、水素を１個除いたアルカンをいい、直鎖、分枝状および環状のアルキル基を包含している。明瞭性重視のため、本明細書で用いる場合、３個の炭素原子を有するアルキル基は、本文中にそうでないことを明白に記載していない限りイソプロピル基を包含しており、同じことが他のアルキル基についてもあてはまる。同様に、６個の炭素原子を有するアルキル基は、本文中にそうでないことを明白に記載していない限りシクロヘキシル基を包含している。アルキル基内の炭素原子の数を規定する場合、あらゆる分枝を考慮している。そのため、イソプロピル基は３個の炭素原子を有するアルキル基である。
【００２５】
本明細書で用いる場合、「アルケニル基」は、水素を１個除いたアルケンをいい、直鎖、分枝状および環状のアルケニル基を包含している。
【００２６】
本明細書で用いる場合、“ｃｏｍｐｒｉｓｉｎｇ”は包含的用語であり、記載の成分または方法工程および記載されていない他の成分または方法工程を含む。
【００２７】
本明細書で用いる場合、“ｃｏｎｓｉｓｔｉｎｇ  ｅｓｓｅｎｔｉａｌｌｙ  ｏｆ”は、本出願の出願日の時点で米国特許商標局前の特許審査で使用されている定義を有しているものとする。本質的にある特定の成分または方法工程からなると記載されている説明または請求項は、記載の成分または方法工程および該説明または請求項に記載の発明の基本的特徴および新規な特徴（１つまたは複数）に実質的に影響しないものに対する範囲に限定されるものとする。
【００２８】
本明細書で用いる場合、“ｃｏｎｓｉｓｔｉｎｇ  ｏｆ”は排他的用語であり、記載の成分または方法工程のみを含み、記載されていない他の成分または方法工程は除外される。
【００２９】
本明細書で用いる場合、「シクロアルキル基」は、水素を１個除いたシクロアルカンをいい、非置換のシクロアルキル基および１つ以上のアルキル基置換を有するシクロアルキル基を包含している。１つのシクロアルキル基に複数の環が存在していてもよい（例えば、縮合環）。
【００３０】
本明細書で用いる場合、「ガスクロマトグラフィー用識別剤」は、ガスクロマトグラフィー手段、例えば限定されないが、窒素リン検出器付きガスクロマトグラフィー、ガスクロマトグラフィー−質量分析、および当業者に知られた他の同様のガスクロマトグラフィー法によって検出され得る化学的実体をいう。
【００３１】
本明細書で用いる場合、「窒素リン検出器付きガスクロマトグラフィー用識別剤」は、窒素リン検出器付きガスクロマトグラフィーによって検出され得る化学的実体をいう。
【００３２】
本明細書で用いる場合、「非環状アルキル基」は、環式の環を含んでいないアルキル基をいう。
【００３３】
本明細書で用いる場合、「非ピロリジノン」は、ピロリジノン基（場合によっては、ピロリドン基とも称される）を含んでいない化合物をいう。
【００３４】
本明細書で用いる場合、「フタレイン」は、無水フタル酸とフェノールの反応によって形成される化合物をいう。
【００３５】
本明細書で用いる場合、「ピロリジノン」は、ピロリジノン基（場合によっては、ピロリドン基とも称される）を含んでいる化合物をいう。
【００３６】
本明細書で用いる場合、「非水性」組成物は、存在している水分量が１重量％未満である組成物をいう。
【００３７】
本明細書で用いる場合、用語「赤色色素」は、５００ｎｍ〜５８０ｎｍの可視域電磁放射線吸収極大を有する色素をいう。
【００３８】
本明細書で用いる場合、「分光分析用識別剤」は、分光分析手段、例えば限定されないが、蛍光分光法、吸収分光法、ラマン分光法、近赤外分光法、および分光分析の技術分野の当業者に知られた他の分光分析法によって検出され得る化学的実体をいう。分光分析用識別剤は分光分析手段によって検出され得る化学的実体をいうが、本開示は、分光分析用識別剤がかかる手段によって実際に検出することに限定されないことは認識されよう。例えば、分光分析用識別剤は、クロマトグラフィー手段により、分析化学の技術分野の当業者にわかる様式で検出されるものであってもよい。
【００３９】
本明細書で用いる場合、用語「黄色色素」は、４００ｎｍ〜４７５ｎｍの可視域電磁放射線吸収極大を有する色素をいう。
【００４０】
略号：
【００４１】
ＡＦＩＤ−アルカリ炎イオン化検出器
【００４２】
ＥＣＤ−電子捕獲型検出器
【００４３】
ＦＩＤ−水素炎イオン化検出器
【００４４】
ＧＣ−ガスクロマトグラフィー
【００４５】
ＧＣ−ＭＳ−ガスクロマトグラフィー−質量分析
【００４６】
ＧＣ−ＮＰＤ−窒素リン検出器付きガスクロマトグラフィー
【００４７】
ＧＬＰ−ゲル液体浸透
【００４８】
ＨＥＣＤ−Ｈａｌｌ型電気伝導度検出器
【００４９】
ＬＣ−液体クロマトグラフィー
【００５０】
ＬＣ−ＭＳ−液体クロマトグラフィー−質量分析
【００５１】
ＭＳ−質量分析
【００５２】
ＮＩＲ−近赤外
【００５３】
ＰＩＤ−光イオン化検出器
【００５４】
ＵＶ−Ｖｉｓ−紫外可視
【００５５】
本開示は、識別剤含有流動体から実質的に除去またはロンダリングされる能力を低減させた多層識別剤組成物を導入することにより、有機溶媒、例えば限定されないが、石油製品、潤滑油または任意の他の液状炭化水素からの分光分析用識別剤のロンダリング可能性（ｌａｕｎｄｅｒａｂｉｌｉｔｙ）または除去の問題を容易に、または経済的な様式で実質的に解決する多層識別剤組成物に関するものである。本明細書に開示しているこの新規で非自明の多層識別剤組成物は、単純な実地試験を実施して識別剤含有流動体中の該組成物の存在を調べられる能力だけでなく、より精巧な実験室レベルでの分析で識別剤含有流動体中の該組成物を検出することを可能にする能力も兼ね備えている。
【００５６】
本開示により、液状炭化水素に識別剤を添加するための識別剤組成物を提供する。該識別剤組成物にはさまざまな形態が採用され得、当業者によって理解されるとおりに組み合わせてもよい。
【００５７】
一部の場合では、識別剤組成物がガスクロマトグラフィー（ＧＣ）用識別剤を含むものであり得る。一部の場合では、識別剤組成物が本質的にＧＣ用識別剤からなるものであり得る。一部の場合では、識別剤組成物がＧＣ用識別剤からなるものであり得る。
【００５８】
一部の場合では、識別剤組成物がＧＣ用識別剤と溶媒を含むものであり得る。一部の場合では、識別剤組成物が本質的にＧＣ用識別剤と溶媒からなるものであり得る。一部の場合では、識別剤組成物がＧＣ用識別剤と溶媒からなるものであり得る。このような組成物の各々において、ＧＣ用識別剤は重量基準で１％〜９９％、２５％〜７５％または４０％〜６０％の量で存在させ得る。このような組成物の各々において、溶媒は重量基準で１％〜９９％、２５％〜７５％または４０％〜６０％の量で存在させ得る。
【００５９】
一部の場合では、識別剤組成物がＧＣ用識別剤と分光分析用識別剤を含むものであり得る。一部の場合では、識別剤組成物が本質的にＧＣ用識別剤と分光分析用識別剤からなるものであり得る。一部の場合では、識別剤組成物がＧＣ用識別剤と分光分析用識別剤からなるものであり得る。このような組成物の各々において、ＧＣ用識別剤は重量基準で１％〜９９％、２５％〜７５％または４０％〜６０％の量で存在させ得る。このような組成物の各々において、分光分析用識別剤は重量基準で１％〜９９％、２５％〜７５％または４０％〜６０％の量で存在させ得る。
【００６０】
一部の場合では、識別剤組成物がＧＣ用識別剤、分光分析用識別剤および溶媒を含むものであり得る。一部の場合では、識別剤組成物が本質的にＧＣ用識別剤、分光分析用識別剤および溶媒からなるものであり得る。一部の場合では、識別剤組成物がＧＣ用識別剤、分光分析用識別剤および溶媒からなるものであり得る。このような組成物の各々において、ＧＣ用識別剤は重量基準で１０％〜８５％、２０％〜７０％または２５％〜６０％の量で存在させ得る。このような組成物の各々において、分光分析用識別剤は重量基準で５％〜８０％、１０％〜５０％または１５％〜２５％の量で存在させ得る。このような組成物の各々において、溶媒は重量基準で１０％〜８５％、２０％〜７０％または２５％〜６０％の量で存在させ得る。
【００６１】
前述の任意の識別剤組成物は非水性であってもよい。
【００６２】
前述の任意の識別剤組成物におけるＧＣ用識別剤は窒素リン検出器付きガスクロマトグラフィー（ＧＣ−ＮＰＤ）用識別剤であってもよい。
【００６３】
前述の任意の識別剤組成物におけるガスクロマトグラフィー用識別剤はピロリジノンを含むものであり得る。前述の任意の識別剤組成物におけるガスクロマトグラフィー用識別剤は本質的にピロリジノンからなるものであり得る。前述の任意の識別剤組成物におけるガスクロマトグラフィー用識別剤はピロリジノンからなるものであり得る。
【００６４】
一部の場合では、該ピロリジノンが、液状炭化水素中に０．０１ｐｐｍ〜５００ｐｐｍのレベルで可溶性である任意のピロリジノンであり得る。
【００６５】
一部の特定の用途では、１−アルキル−２−ピロリジノン（ここで、該アルキル基は任意の鎖長のものである）が、ガスクロマトグラフィー用識別剤、例えばＧＣ−ＮＰＤ用識別剤として有用であり得る。
【００６６】
一部の特定の用途では、高分子量を有する、および／または大型アルキル置換を有するピロリジノンを使用することが有益であり得る。このような用途では、ピロリジノンが１−アルキル−２−ピロリジノンであり得、この場合、該アルキル基は、３個以上の炭素原子を有するアルキル基、例えば限定されないが、３〜４０個の炭素原子を有するアルキル基、４〜３０個の炭素原子を有するアルキル基、５〜２０個の炭素原子を有するアルキル基、６〜１８個の炭素原子を有するアルキル基、８〜１６個の炭素原子を有するアルキル基、または６〜１２個の炭素原子を有するアルキル基である。
【００６７】
一部の特定の用途では、ピロリジノンが、そのアルキル基が、３個の炭素原子、４個の炭素原子、５個の炭素原子、６個の炭素原子または７個の炭素原子を有するアルキル基である１−アルキル−２−ピロリジノンであることが有益であり得る。
【００６８】
一部の特定の用途では、ピロリジノンが、そのアルキル基が、９個の炭素原子、１０個の炭素原子、１１個の炭素原子、１２個の炭素原子、１３個の炭素原子、１４個の炭素原子、１５個の炭素原子、１６個の炭素原子、１７個の炭素原子、１８個の炭素原子、１９個の炭素原子、２０個の炭素原子、２１個の炭素原子、２２個の炭素原子、２３個の炭素原子または２４個の炭素原子を有するアルキル基である１−アルキル−２−ピロリジノンであることが有益であり得る。
【００６９】
一部の特定の用途では、１−シクロアルキル−２−ピロリジノン（ここで、該シクロアルキル基は任意の鎖長のものである）が、ガスクロマトグラフィー用識別剤、例えばＧＣ−ＮＰＤ用識別剤として有用であり得る。
【００７０】
一部の特定の用途では、１−アルケニル−２−ピロリジノン（ここで、該アルケニル基は任意の鎖長のものである）が、ＧＣ用識別剤、例えばＧＣ−ＮＰＤ用識別剤として有用であり得る。
【００７１】
一部の特定の用途では、１−メチル−２−ピロリジノン、１−エチル−２−ピロリジノン、１−シクロヘキシル−２−ピロリジノン、１−オクチル−２−ピロリジノン、１−ドデシル−２−ピロリジノン、１−オクタデシル−２−ピロリジノンおよび１−ビニル−２−ピロリジノンからなる群より選択されるピロリジノンを使用することが有益であり得る。
【００７２】
一部の特定の用途では、１−シクロヘキシル−２−ピロリジノン、１−オクタデシル−２−ピロリジノンおよび１−ビニル−２−ピロリジノンからなる群より選択されるピロリジノンを使用することが有益であり得る。
【００７３】
一部の場合では、ガスクロマトグラフィー用識別剤またはＧＣ−ＮＰＤ用識別剤が、非ピロリジノン化合物、例えばピロリン、ピペリドン、ピピリジン（ｐｉｐｉｒｉｚｉｎｅ）、ピラジン、ピリダゾン、イミダゾリドン、オキサゾール、オキサゾリン、およびオキサゾリジンであり得る。
【００７４】
前述の任意の組成物における分光分析用識別剤、例えば、識別剤が添加されている液状炭化水素に関連した固有の分光分析シグナルと区別可能な再現可能な分光分析シグナルを有することが知られている任意の分光分析用識別剤。例えば、分光分析用識別剤は、識別剤が添加されている液状炭化水素と区別可能な吸収スペクトルを有する色素であり得る。別の例として、分光分析用識別剤は、識別剤が添加されている液状炭化水素と区別可能な蛍光スペクトルを有する蛍光色素であり得る。
【００７５】
一部の場合では、分光分析用識別剤が、液状炭化水素中に０．０１ｐｐｍ〜５００ｐｐｍのレベルで可溶性である任意の分光分析用識別剤であり得る。
【００７６】
一部の特定の用途では、分光分析用識別剤が赤色色素または黄色色素であり得る。分光分析用識別剤はＳｏｌｖｅｎｔ  Ｒｅｄ  １６４またはＳｏｌｖｅｎｔ  Ｙｅｌｌｏｗ  １２４であり得る。
【００７７】
一部の特定の用途では、分光分析用識別剤が：下記式（Ｉ）に示すものである。
【００７８】
【化１】
2019528448.tif 000003
【００７９】
式中、Ａｒ1およびＡｒ2は各々、独立して、置換もしくは非置換のフェニレン基または置換もしくは非置換のナフチレン基を表し；Ｒ1は、１〜２２個の炭素原子を有する直鎖または分枝鎖のアルキル基を表し；Ｒ2は、水素原子または式Ｃ（Ｏ）Ｒ4の基を表し、ここで、Ｒ4は水素原子または１〜２２個の炭素原子を有する直鎖もしくは分枝鎖のアルキル基であり；Ｒ3は、水素原子、１〜１２個の炭素原子を有する直鎖もしくは分枝鎖のアルキル基、１〜１２個の炭素原子を有する直鎖もしくは分枝鎖のアルコキシ基、ヒドロキシル基、置換もしくは非置換のフェニル基または置換もしくは非置換のナフチル基を表し；Ｚは、水素原子またはＡｒ2もしくはＲ3と結合してラクトン環を形成する原子の基を表す。
【００８０】
一部の特定の用途では、分光分析用識別剤がフタレインであり得る。分光分析用識別剤はフタレインジブチレートであり得る。分光分析用識別剤は、フタレインエステルであり得る。分光分析用識別剤は、フルオロセイン（ｆｌｕｏｒｏｓｃｅｉｎ）ジブチレート、クレゾールフタレイン、ｏ−クレゾールフタレインジブチレートおよびチモールフタレインからなる群より選択され得る。分光分析用識別剤は、クレゾールフタレインジブチレートエステル、クレゾールフタレインモノブチレートエステル、クレゾールフタレインジイソプロピレートエステル、クレゾールフタレインジ−ｎ−プロピレートエステル、クレゾールフタレインジヘキサノエートエステル、クレゾールフタレインジペンタノエートエステルおよびクレゾールフタレインジラウレートエステルからなる群より選択され得る。分光分析用識別剤は、ナフトールフタレインジブチレートエステル、チモールフタレインジブチレートエステルおよびチモールフタレインジプロパノエートエステルからなる群より選択され得る。分光分析用識別剤は、ｓｅｃ−ブチルフェノールフタレインジブチレートエステルおよびジ−ｓｅｃ−ブチルフェノールフタレインジブチレートエステルからなる群より選択され得る。
【００８１】
一部の場合では、溶媒が極性溶媒であり得る。一部の場合では、溶媒が非プロトン性溶媒であり得る。一部の場合では、溶媒が、石油ナフサ（１００°Ｆ〜２５０°Ｆの沸点）；アルコール、例えばメタノール、エタノール．プロパノール、ブタノールなど；グリコールエーテル、例えばエチレングリコールフェニルエチルエーテル、エチレングリコールジメチルエーテル、エチレングリコールジエチルエーテル、エチレングリコールジフェニルエーテルなど；ジメチルホルムアミド；ジメチルスルホキシド；キシレン；トルエン；アセトン；酢酸エチル；石油製品、例えばガソリン、ケロシン、ディーゼル燃料、ジェット燃料など；およびその組合せからなる群より選択され得る。
【００８２】
また、本開示により識別剤含有液状炭化水素も提供する。一部の場合では、識別剤含有液状炭化水素が、液状炭化水素と本明細書の他の箇所に記載の１種類以上の識別剤組成物を含むものである。一部の場合では、識別剤含有液状炭化水素が、本質的に液状炭化水素と本明細書の他の箇所に記載の１種類以上の識別剤組成物からなるものである。一部の場合では、識別剤含有液状炭化水素が、液状炭化水素と本明細書の他の箇所に記載の１種類以上の識別剤組成物からなるものである。
【００８３】
該識別剤含有液状炭化水素の各々において、識別剤組成物は、識別剤含有液状炭化水素中、０．１ｐｐｍ〜５００ｐｐｍのピロリジノン濃度、例えば限定されないが０．５ｐｐｍ〜１００ｐｐｍ、１ｐｐｍ〜５０ｐｐｍまたは５ｐｐｍ〜２５ｐｐｍの濃度がもたらされるのに充分な量で存在させ得る。一部の場合では、分光分析用識別剤を存在させる場合、識別剤組成物は、識別剤含有液状炭化水素中、０．１ｐｐｍ〜５００ｐｐｍの分光分析用識別剤濃度、例えば限定されないが０．５ｐｐｍ〜１００ｐｐｍ、１ｐｐｍ〜５０ｐｐｍまたは５ｐｐｍ〜２５ｐｐｍの濃度がもたらされるのに充分な量で存在させ得る。
【００８４】
また、本開示によりキットも提供する。キットは、本明細書に記載の任意の識別剤組成物と、該識別剤組成物のＧＣ特性および／または分光分析特性に関する情報を含むものであり得る。情報に該ピロリジノンに関する参照ＧＣレポートを含めてもよい。分光分析用識別剤を存在させる場合、情報に該分光分析用識別剤に関する参照分光分析レポートを含めてもよい。
【００８５】
識別剤は、石油製品、例えば液状炭化水素、ガソリン、ディーゼル燃料、溶媒、潤滑油、ブレーキ液、油圧作動液、ガソホール、ケロシン、ジェット燃料、暖房油、バンカー燃料および他の流動体において、混ぜ物によって粗悪になった製品を検出するための手段を設けることによって製品およびブランドの完全性を確保する手段として使用される。混ぜ物による粗悪化の典型的な状況としては、高級品を低品質のものの１つで代用すること、または高級品に低等級のものを混ぜることが挙げられる。他の状況としては、補助金があるか、または低税率の燃料の悪用が挙げられる。
【００８６】
フタレインは、燃料および潤滑油のための識別剤として良好に機能を果たすことが報告されている。この識別剤は０．５〜５０ｐｐｍレベルで添加され、満足のいく定量試験を可能にする。フタレイン含有製品は、溶解度が限定的であるため濃縮液として調製することが困難であり、石油製品中に溶解し難い。このような問題は強い共溶媒を使用すると解決される。一例にすぎないが、これには、１−オクチルピロリジノン、別名ｎ−オクチルピロリジノン（ＮＯＰ）などの極性−非プロトン性溶媒がよく適しており、これはフタレインがＮＯＰ中に非常に可溶性であり、さらにはＮＯＰが石油製品に可溶性であるためである。エンドユーザーに販売される市販品は、実際のフタレイン、ＮＯＰおよび溶媒の混合物として配合される。ピロリジノンは、フタレインの溶解度の改善（両成分の安定な配合物をもたらす）だけでなく、燃料または他の流動体中へのフタレインの分散性の改善ももたらす。
【００８７】
したがって、例えば、このようなフタレイン組成物はＮＯＰ、フタレインおよび溶媒の混合物として調製される。得られる本開示の実施形態による組成物は、単独の分光分析用識別剤と比べて驚くべき予想外の結果を示すことがわかった。本明細書に開示の新規で非自明の組成物は、ロンダリングされにくいだけでなく、燃料／流動体が混ぜ物によって粗悪にされていないかどうかを調べるために現場および実験室で試験され得る組成物となる。
【００８８】
フタレインベースの分光分析用識別剤の使用に加えて、多くの他の型の識別剤が本開示の組成物の実施形態において使用され得る。フタレインベースの（他の化学物質ベースの識別剤を含む）としては、限定されないが、フルオロセインジブチレート、クレゾールフタレイン、ｏ−クレゾールフタレインジブチレート、チモールフタレインおよび任意の他の適当な識別剤が挙げられる。分光分析用識別剤としては、限定されないが、ナフトールフタレインジブチレートエステル、チモールフタレインジブチレートエステル、チモールフタレインジプロパノエートエステル、クレゾールフタレインジブチレートエステル、クレゾールフタレインモノブチレートエステル、クレゾールフタレインジイソプロピレートエステル、クレゾールフタレインジ−ｎ−プロピレートエステル、クレゾールフタレインジヘキサノエートエステル、クレゾールフタレインジペンタノエートエステル、クレゾールフタレインジラウレートエステル、ｓｅｃ−ブチルフェノールフタレインジブチレートエステルおよびジ−ｓｅｃ−ブチルフェノールフタレインジブチレートエステルが挙げられ得る。例えば、
分光分析用識別剤は、下記式（Ｉ）による化合物で構成されたものであり得る。
【００８９】
【化２】
2019528448.tif 000004
【００９０】
式中、Ａｒ1およびＡｒ2は各々、独立して、置換もしくは非置換のフェニレン基または置換もしくは非置換のナフチレン基を表し；Ｒ1は、１〜２２個の炭素原子を有する直鎖または分枝鎖のアルキル基を表し；Ｒ2は、水素原子または
式Ｃ（Ｏ）Ｒ4の基を表し、ここで、Ｒ4は水素原子または１〜２２個の炭素原子を有する直鎖もしくは分枝鎖のアルキル基であり；Ｒ3は、水素原子、１〜１２個の炭素原子を有する直鎖もしくは分枝鎖のアルキル基、１〜１２個の炭素原子を有する直鎖もしくは分枝鎖のアルコキシ基、ヒドロキシル基、置換もしくは非置換のフェニル基または置換もしくは非置換のナフチル基を表し；Ｚは、水素原子またはＡｒ2もしくはＲ3と結合してラクトン環を形成する原子の基を表す。
【００９１】
多くの非フタレイン分光分析用識別剤が本開示の組成物の実施形態において使用され得ることが想定される。また、米国特許第５，４９８，８０８号、同第５，６７６，７０８号、同第５，６７２，１８２号、同第５，８５８，９３０号、同第６，００２，０５６号、同第６，４８２，６５１号、同第７，１５７，５６３号、同第７，１６３，８２７号および同第７，８２５，１５９号に記載の分光分析用識別剤が、引用により、あらゆる目的のために本明細書に組み込まれる。
【００９２】
分光分析用識別剤を含有している燃料および他の流動体を混ぜ物によって粗悪にするためは、常套的に、第１工程は識別剤を除去する試みである。このプロセスは、一般的にロンダリングとして知られている。ロンダリングは、さまざまな手法、例えば：酸もしくは塩基での識別剤含有燃料の処理；脱色剤；および／またはクレイもしくは活性炭などの物質に通す濾過を用いて行なわれる。濾過は、他の場合では燃料もしくは他の流動体の性能を破壊するであろう、および／または燃料もしくは他の流動体の特性を変化させるであろう有害な化学薬品を使用しないため、特に一般的である。容易にロンダリングされる識別剤は燃料／流動体を保護できず、したがって、意図されない様式で使用されることになる。
【００９３】
ピロリジノンは、最も精巧な手法によってでも完全に除去できないことが実証されている。したがって、分光分析用識別剤とピロリジノンの両方を、燃料、燃料添加剤または本開示の実施形態による他の流動体、したがって添加される流動体中において既知濃度となるように定量的に配合した場合、識別剤のフタレイン成分が除去された場合であっても、全部ではないが充分な量のピロリジノンが残存し、ＧＣ試験法を用いて検出され得る。このＧＣ法では、低ｐｐｍ濃度のＮＯＰを調べるのに必要な感度と分解能をもたらす窒素検出器が使用され得る。通常のＦＩＤおよびＭＳ検出は、費用効果の高い試験手順で燃料／流動体成分からＮＯＰを検出するために必要な結果を得るのに充分ではない。
【００９４】
したがって、顕色をもたらす標準的なアルカリ試薬を用いた定量化学試験と、このようなフタレイン識別剤についての抽出試験結果の両方を行なうことができる本開示による組成物が調製され得、また、ＧＣによるピロリジノンの定量的測定が、流動体中の識別剤の法科学的コンホメーション（ｃｏｎｆｏｒｍａｔｉｏｎ）およびロンダリングがなされた証拠の両方として行なわれ得る。
【００９５】
本開示により、ガスクロマトグラフィー用識別剤を含む液状炭化水素を同定する方法を提供する。該方法は：ａ）液状炭化水素のサンプルをガスクロマトグラフィーシステム内に導入し、それにより該サンプルのガスクロマトグラフィーレポートを得ること；およびｂ）該液状炭化水素中のピロリジノンの存在を該ガスクロマトグラフィーレポートを用いて確認することを含むものである。一部の場合では、液状炭化水素が分光分析用識別剤をさらに含むものであり得る。このような場合、該方法は：ｃ）該液状炭化水素の第２のサンプルを分光学的に分析し、それにより該第２のサンプルの分光分析レポートを得ること；およびｄ）該液状炭化水素中の該分光分析用識別剤の存在を該分光分析レポートを用いて確認することをさらに含むものであり得る。
【００９６】
また、本開示により、市場に流通している液状炭化水素のサブセットに識別剤を添加し、識別剤添加の存在を検出する方法も提供する。該方法は：ａ）ピロリジノンを含むガスクロマトグラフィー用識別剤を、市場に流通している液状炭化水素のサブセットに添加すること；ｂ）市場に流通している該液状炭化水素のうちの１種類のサンプルを選出すること；ｃ）市場に流通している該液状炭化水素のうちの１種類の該サンプルをガスクロマトグラフィーシステムに導入し、それにより該サンプルのガスクロマトグラフィーレポートを得ること；およびｄ）該サンプル中の該ピロリジノンの有無を該ガスクロマトグラフィーレポートを用いて確認し、それにより該サンプルが液状炭化水素の該サブセットの範囲内であるのか該サブセットの範囲外であるのかを確認することを含むものである。工程ａ）の添加としては、ＧＣ用識別剤を液状炭化水素の該サブセット中に０．１ｐｐｍ〜５００ｐｐｍの量のピロリジノン（例えば限定されないが、本明細書に開示した任意の他のＧＣ用識別剤濃度範囲またはピロリジノン濃度範囲）がもたらされるのに必要な量で添加することが挙げられ得る。この方法は、ガスクロマトグラフィー用識別剤を含有している液状炭化水素を同定する方法に関して上記の任意の特徴を含むものであり得る。一部の場合では、該方法は：ｅ）分光分析用識別剤を、市場に流通している該液状炭化水素の該サブセットに添加すること；ｆ）市場に流通している該液状炭化水素のうちの１種類の該サンプルの少なくとも第２の一部分を分光学的に分析し、それにより該サンプルの分光分析レポートを得ること；およびｇ）該サンプル中の該分光分析用識別剤の有無を該分光分析レポートを用いて確認し、それにより該サンプルが液状炭化水素の該サブセットの範囲内であるのか該サブセットの範囲外であるのかを確認することをさらに含むものであり得る。工程ｅ）の添加としては、分光分析用識別剤識別剤を液状炭化水素の該サブセット中に０．１ｐｐｍ〜５００ｐｐｍの量の分光分析用識別剤（例えば限定されないが、本明細書に開示した任意の他の分光分析用識別剤濃度範囲）がもたらされるのに必要な量で添加することが挙げられ得る。
【００９７】
また、本開示により、ロンダリングされた識別剤含有液状炭化水素を同定する方法であって、ロンダリングされていない識別剤含有液状炭化水素はガスクロマトグラフィー用識別剤と分光分析用識別剤を含有している方法も提供する。該方法は：ａ）ロンダリングされたことが疑われる液状炭化水素サンプルの第１の一部分をガスクロマトグラフィーシステム内に導入し、それにより該液状炭化水素サンプルのガスクロマトグラフィーレポートを得ること；ｂ）該液状炭化水素サンプルの第２の一部分を分光学的に分析し、それにより該液状炭化水素サンプルの分光分析レポートを得ること；ｃ）該ガスクロマトグラフィー用識別剤の有無を該ガスクロマトグラフィーレポートを用いて確認し、該分光分析用識別剤の有無を該分光分析レポートを用いて確認することを含み；ｄ）工程ｃ）の確認に基づいて：該ガスクロマトグラフィー用識別剤および該分光分析用識別剤が存在していると確認されたならば、該液状炭化水素サンプルが識別剤を含有しており、ロンダリングされていないことを示し；該ガスクロマトグラフィー用識別剤が存在していると確認され、該分光分析用識別剤が存在しないと確認されたならば、該液状炭化水素サンプルが識別剤を含有しており、ロンダリングされていることを示し；該ガスクロマトグラフィー用識別剤および該分光分析用識別剤が存在しないと確認されたならば、該液状炭化水素が識別剤無含有であることを示す。
【００９８】
このような方法の各々において、流動体のサンプルまたは一部分をＧＣシステム内に導入する工程は、流動体のサンプルまたは一部分をＧＣ−ＮＰＤシステム内に導入、それによりＧＣ−ＮＰＤ  レポートを得ることを含むものであり得る。ＧＣ−ＮＰＤシステムとしては、炎光熱検出器（ｆｌａｍｅ  ｔｈｅｒｍｉｏｎｉｃ  ｄｅｔｅｃｔｏｒ）またはアルカリ炎イオン化検出器（ａｌｋａｌｉ  ｆｌａｍｅ  ｉｏｎｉｚａｔｉｏｎ  ｄｅｔｅｃｔｏｒ）が挙げられ得る。このような場合、該導入工程で得られるＧＣレポートは、サンプルまたは流動体中の窒素またはリンの量に比例する強度値を含むものであり得る。この強度は、サンプルまたは流動体の種々の成分の溶出時間の関数としての時間変数であり得る。
【００９９】
このような方法の各々において、一部の場合では、流動体のサンプルまたは一部分をＧＣシステム内に導入する工程は、流動体のサンプルまたは一部分をＧＣ−ＭＳシステム、ＧＣ−ＮＰＤシステム、例えば、炎光熱検出器（ＦＴＤ）もしくはアルカリ炎イオン化検出器（ＡＦＩＤ）付きＧＣ−ＮＰＤシステム、ＧＣ−Ｈａｌｌ型電気伝導度検出器（ＨＥＣＤ）システム、ＧＣ−水素炎イオン化検出器（ＦＩＤ）システム、ＧＣ−電子捕獲型検出器（ＥＣＤ）システム、ＧＣ−光イオン化検出器（ＰＩＤ）システムまたはその組合せ内に導入することを含むものであり得る。
【０１００】
また、流動体のサンプルまたは一部分をＧＣシステム内に導入する工程は、溶融シリカカラム、ポリエチレングリコールカラム、シアノプロピルカラム、トリフルオロプロピルカラム、置換ポリシロキサンカラムなどの使用を含むものであってもよい。流動体のサンプルまたは一部分をＧＣシステム内に導入する工程は、窒素、ヘリウムおよびその組合せからなる群より選択されるキャリアガスの使用を含むものであってもよい。ガスクロマトグラフィーシステムの他の操作パラメータは、ＧＣ用識別剤と識別剤含有液状炭化水素の種々の成分との分離を改善する目的で、当業者にわかる様式で最適化され得る。
【０１０１】
このような方法の各々において、ＧＣレポートを伴う該確認工程は、１つ以上の所定の溶出時間での強度値のモニタリングを含むものであり得る。
【０１０２】
このような方法の各々において、該分光学的分析工程は、蛍光分光法、ＵＶ−Ｖｉｓ分光法、ラマン分光法、近赤外分光法、クロマトグラフィー手法、例えば液体クロマトグラフィー−質量分析（ＬＣ／ＭＳ）、ＧＬＰ（ゲル液体浸透）またはその組合せを実施することを含むものであり得る。
【０１０３】
このような方法の各々において、分光分析レポートを伴う該確認工程は、分光分析レポートを分光分析用識別剤に関する参照スペクトルと比較することを含むものであり得る。
【０１０４】
フタレインが不心得者によって除去され得ることが考えられ得るが、該ピロリジノンは、最も精密な条件下であっても一部しか除去されず、燃料／流動体のサンプル中の識別剤の存在の絶対的証拠を示す。
【０１０５】
実質的にあらゆる１−アルキルピロリジノンがこのような方法において充分に機能を果たし、フタレインとピロリジノンの多くの組合せをもたらし、エンドユーザーにとって組成物の選択の柔軟性をより大きくすることが可能になる。例えば、該ピロリジノンとしては、限定されないが、１−メチル−２−ピロリジノン、１−エチル−２−ピロリジノン、１−シクロヘキシル−２−ピロリジノン、１−オクチル−２−ピロリジノン、１−ドデシル−２−ピロリジノン、オシル（ｏｃｙｌ）デシル−２−ピロリジノンおよび１−ビニル−２−ピロリジノン、または任意の他の適当なピロリジノン、例えば、Ｃ1〜Ｃ16のすべてのアルキルピロリジノンなどが挙げられ得る。
【０１０６】
本開示の実施形態による組成物は、約１〜約９９％、より好ましくは約１０〜約６０％、さらにより好ましくは約１５〜約５０％の分光分析用識別剤；約１〜約９９％、より好ましくは約１０〜約８０％、さらにより好ましくは約２０〜約７０％のピロリジノン；約１〜約９９％、より好ましくは約１０〜約６０％、さらにより好ましくは約２０〜約５０％の溶媒を含むものであり得る。本開示の一部の実施形態では、該組成物が少なくとも１種類の分光分析用識別剤とピロリジノンを含むものであることが想定される。溶媒は任意の適当な型のものであり得、溶媒ナフサの使用に限定されない。
【０１０７】
図１を参照されたい。本開示によりシステム１０を提供する。このシステムはＧＣシステム１２とコンピュータ１４を含むものであり得る。ＧＣ−ＮＰＤシステム１２はＧＣカラム１６とＧＣ検出器１８を含むものであり得る。ＧＣシステム１２はキャリアガス源２０を含むものであり得る。
【０１０８】
一部の場合では、ＧＣシステム１２がＧＣ−ＮＰＤシステムであり得る。一部の場合では、ＧＣシステム１２がＧＣ−ＭＳシステムであり得る。
【０１０９】
ＧＣカラム１６は、溶融シリカカラム、ポリエチレングリコールカラム、シアノプロピルカラム、トリフルオロプロピルカラム、置換ポリシロキサンカラム、またはクロマトグラフィー技術分野の当業者が本明細書に記載のＧＣ用識別剤を液状炭化水素から分離するのに適しているとわかる他のカラムであり得る。一部の場合では、ＧＣ検出器１８がＮＰＤであり得る。一部の場合では、ＧＣ検出器１８がＭＳであり得る。一部の場合では、ＧＣ検出器１８が、ＮＰＤ、例えばＦＴＤもしくはＡＦＩＤ、ＭＳ、ＨＥＣＤ、ＦＩＤ、ＥＣＤ、ＰＩＤまたはその組合せであり得る。窒素リン検出器は、炎光熱検出器、アルカリ炎イオン化検出器、またはクロマトグラフィー技術分野の当業者に知られた他の窒素リン検出器であり得る。キャリアガス源２０はヘリウム源、窒素源またはその組合せであり得る。
【０１１０】
コンピュータ１４はプロセッサ２２とメモリ２４を含むものであり得る。また、コンピュータは、コンピュータ技術分野の当業者にわかる種々のディスプレイ、入力部なども含むものであってもよい。メモリは命令が保存されたものであり得、命令は、プロセッサによって実行されると、プロセッサがＧＣレポートおよび／または分光分析レポートを受信し、本明細書に記載の任意の方法の確認工程（１つまたは複数）を実行するようにするものである。
【０１１１】
メモリ２４に、システム１０によって解析されることが意図されたＧＣ用識別剤またはピロリジノンに対応する１つ以上の参照用ＧＣレポートが保存されていてもよい。
【０１１２】
システム１０は分光分析システム２６をさらに含むものであってもよい。分光分析システム２６は光源２８と光検出器３０を含むものであり得る。
【０１１３】
メモリ２４に、該システムによって解析されることが意図された分光分析用識別剤に対応する１つ以上の参照用分光分析レポートが保存されていてもよい。
【０１１４】
ＧＣシステム１２およびオプションの分光分析システム２６は、当業者にわかるようなオンボードのプロセッサおよびメモリを有するものであってもよい。コンピュータとＧＣシステム１２およびオプションの分光分析システム２６間の通信は有線であっても無線であってもよく、通信技術分野の当業者に知られた任意の通信プロトコルが使用される。
【０１１５】
実施例１．実験１〜２４．
【０１１６】
実験１〜２４では、３種類の異なるフタレイン、４種類の異なる１−アルキルピロリジノンおよび２つの異なる濃度を用いて配合物を調製した。表１は、調製した配合物を示す。配合物はすべて、安定な溶液（分離または沈殿なしと定義する）を１ヶ月間、３ヶ月間および６ヶ月間にわたって示した。
【０１１７】
【表１】
2019528448.tif 000005
【０１１８】
実施例２．実験２５〜２７．
【０１１９】
３種類のピロリジノンの検量線を作成した。実験２５、２６および２７を、ピロリジノンの標準濃度１ｐｐｍ、５ｐｐｍおよび１０ｐｐｍで行なった。また、１−オクチル−２−ピロリジノンでは０．５ｐｐｍの点の溶液も調製した。直線の検量線を得た。表２は、この３つの実験で各測定濃度において測定されたエリアカウントおよび各検量線での「Ｒ2」すなわち「Ｒ二乗値」を示す。この３種類のアルキルピロリジノンの再現可能な保持時間は、１−シクロヘキシルピロリジノン、１−オクチルピロリジノンおよび１  ドデシルピロリジノンで、それぞれ９．１分、１０．０分および１５．１分であることがわかった。
【０１２０】
【表２】
2019528448.tif 000006
【０１２１】
ＧＣ条件を以下に記載する（ＨＰ  ６８９０  Ｓｅｒｉｅｓ  ＧＣ  Ｓｙｓｔｅｍ）
【０１２２】
カラム：キャピラリーカラム，Ｒｅｓｔｅｋ  Ｒｘｉ−１ｍｓ，３０ｍ×０．５μｍ×２５０μｌ
【０１２３】
検出器：Ａｇｉｌｅｎｔ  ６８９０窒素リン検出器
【０１２４】
カラムモード：定流量，スプリットレス
【０１２５】
初期温度：１２０℃
【０１２６】
初期ホールド温度：０分
【０１２７】
最終温度：２５０℃
【０１２８】
ランプレート：１０℃／分
【０１２９】
ホールド時間：１２分
【０１３０】
インジェクション容量  １μｌ
【０１３１】
実施例３．実験２８〜３７．
【０１３２】
実験２８〜３７では、表１に示した配合物のうちのいくつかをディーゼル燃料中２０ｐｐｍの濃度で調製した。実験の結果を表３に表形式にする。アルキルピロリジノンでは本質的に同一の保持時間がみられた。これらのサンプルについて優れた濃度が得られた。調製した２０ｐｐｍのサンプルには、配合物中に３０％のピロリジノンを有する配合物では６ｐｐｍのピロリジノンが、６０％のピロリジノンを有する配合物では１２ｐｐｍが含まれているはずである。
【０１３３】
【表３】
2019528448.tif 000007
【０１３４】
実施例４．実験３８〜５３．
【０１３５】
ロンダリング試験を、ディーゼル燃料およびガソリンで調製したサンプルに対して行なった。実験３８〜４７では、表１に記載の配合物をガソリンおよび／またはディーゼル燃料中１０および２０ｐｐｍで調製し、活性炭を含有させたカラムクロマトグラフィーに供した。使用した手法は、燃料用識別剤の除去が問題であることが知られているアジア市場で使用されているものと同様であった。これらの実験では、３００ｍｌの識別剤含有燃料を、７．５グラムの活性炭（Ｄａｒｃｏ（登録商標），２０〜４０メッシュ，Ａｌｄｒｉｃｈから購入，カタログ番号２４２２６８）を含有させたカラム（充填済み，内径１１ｍｍ）に供する。燃料を、カラムからおよそ３００ｍｌの燃料が回収されるまでカラム内に約１．５ｍｌ／分で通した。得られた溶液を、先に記載のものと同じＧＣ条件に供した。表４は、ＧＣ試験の結果である実験３８〜４５の結果を示す。表には、活性炭での上記の処理後の燃料中に残存しているピロリジノンのパーセンテージを含めている。両方の場合で、ガソリンがディーゼル燃料より良好な保持を示し、両方の場合で、２０ｐｐｍ溶液が１０ｐｐｍ溶液より良好な保持示したことは注目に値する。
【０１３６】
実験４８〜５５は、従来型の苛性（４部のディーゼル燃料溶液＋１部の５％ＮａＯＨ，激しく振る）および酸（５部のディーゼル燃料＋１部の１０％塩酸，激しく振る）洗浄をさまざまな配合物の２０ｐｐｍ溶液に対して行なうことにより実施した。表５（苛性）および６（酸）は、ロンダリング手順後に残存しているピロリジノンの量を示す。最後の列には、洗浄したサンプル中に検出されたフタレインの量も示す。すべての場合で、活性炭洗浄および苛性洗浄により多量またはすべてのフタレインが除去された。ＨＣｌ洗浄では、予測どおり、本質的にすべてのフタレインジが残存した。ＨＣｌは、燃料からフタレインを除去するのに不充分な方法であることが知られている。
【０１３７】
【表４】
2019528448.tif 000008
【０１３８】
【表５】
2019528448.tif 000009
【０１３９】
【表６】
2019528448.tif 000010
【０１４０】
実施例５．実験５４
【０１４１】
配合物１〜２４に使用した３種類のピロリジノンに対する保持時間の帰属を検証するため、四重極ＧＣ／ＭＳを使用した。実験２５〜２７で記載のものと同じカラムおよび温度条件を使用し、検量線標準液をＭＳ／ＧＣ検出器［ＨＰ  ５９７３  Ｍａｓｓ  Ｓｅｌｅｃｔｉｖｅ  Ｄｅｔｅｃｔｏｒ］に供した。１−シクロヘキシルピロリジノンでは、Ｍ＋イオンは１６７μ（質量単位）にみられた。１−オクチルピロリジノンでは、Ｍ＋イオンは１９７μにみられた。１−ドデシルピロリジノンでは、Ｍ＋イオンは２５３μにみられた。これらのＭ＋イオンは、ピロリジノンの分子量を示すと予測されるものである。
【０１４２】
本発明を１つ以上の好ましい実施形態に関して説明したが、明記したものの他に多くの均等物、択一例、変形例および修正例が可能であり、本発明の範囲に含まれることを認識されよう。
【図１】
2019528448.tif 000013
【国際調査報告】
2019528448.tif 000014
2019528448.tif 000015
2019528448.tif 000016